(57)【要約】【課題】一種の趣味が深く、インタラクティブな、娯楽と景品販売とを組み合わせたゲーム機を提供すること。【解決手段】機械、ゲームコンソール、収納機構、回転機構及び景品回収循環装置を含み、ゲームコンソールは表示パネルと操作ボタンとを備え、収納機構は機械の上部に設置され、収納機構の下には景品通路があり、景品通路は回転機構の上方にあり、回転機構の下部は景品回収循環装置と接続し、景品回収循環装置は機械の後方に設置され、収納機構と接続されている景品自動販売ゲーム機。【選択図】図１
2019198655.tif 000002
【特許請求の範囲】
【請求項１】
機械、ゲームコンソール、収納機構、回転機構及び景品回収循環装置を含み、
前記ゲームコンソールは表示パネルと操作ボタンとを備え、
前記収納機構は前記機械の上部に設置され、前記収納機構の下には景品通路があり、前記景品通路は前記回転機構の上方にあり、前記回転機構の下部は前記景品回収循環装置と接続し、
前記景品回収循環装置は前記機械の後方に設置され、前記収納機構と接続されている景品自動販売ゲーム機。
【請求項２】
前記収納機構は、モータと、該モータにより回転し、景品を収容する穴を有する回転板とを備え、前記回転板が回転することで、前記穴に収容された前記景品が前記景品通路に落下する、請求項１に記載の景品自動販売ゲーム機。
【請求項３】
前記景品通路は前記機械に固定される請求項１に記載の景品自動ゲーム販売機。
【請求項４】
前記回転機構は、頂部に穴を持つ凸部を有し、景品が前記景品通路から前記凸部の穴に落下したときに前記景品が獲得される、請求項１に記載の景品自動販売ゲーム機。
【請求項５】
前記回転機構は、凹状の穴を有し、景品が前記景品通路から前記凸部の穴に落下せず、前記凹状の穴に入ったときに前記景品回収循環装置により前記景品を回収して前記収納機構に保存する、請求項４に記載の景品自動販売ゲーム機。
【請求項６】
電磁石スイッチが前記景品通路で景品を止め、前記操作ボタンが押されることによって前記回転機構に景品を落下させる、請求項１から５のいずれか１項に記載の景品自動販売ゲーム機。
【発明の詳細な説明】
【技術分野】
【０００１】
本発明は、一種のゲーム機に係わり、具体的は一種の興味深い景品自動販売ゲーム機に関する。
【背景技術】
【０００２】
ゲームは人々にとって比較的に好んで選ぶリラックス方法の１つであり、現在のゲームセンターで人々に選ばれるゲームの種類は益々多くなり、景品類のゲーム機は特に人気がある。現在のクレーンゲームはほとんど単純に景品を掴み取るだけで、デザインは比較的単調で、面白さとインタラクティブさに欠けているため、ある種の趣味が深く、娯楽と景品販売を組み合した景品販売ゲーム機を提供することが必要となる。
【発明の概要】
【発明が解決しようとする課題】
【０００３】
従来技術の欠点を考慮して、本発明の目的は一種の趣味が深く、インタラクティブな、娯楽と景品販売とを組み合わせたゲーム機を提供することである。
【課題を解決するための手段】
【０００４】
上記の目的を達成するために、本発明は以下の技術的解決策によって実現することができる。
【０００５】
一種の興味深い景品自動ゲーム販売機は、機械、ゲームコンソール、収納機構、回転機構及び景品回収循環装置を含む、機械の上部には収納機構、ゲームコンソールを設置し、上には表示パネルと制御ボタンがあり、収納機構の下には景品通路を設け、景品通路は回転機構の上方で、回転機構の下部は景品回収循環装置と接続され、景品回収装置は機械の後ろに配置され、収納機構回転機構に接続される。
【０００６】
更に、収納機構は回転盤、回シャフト、回転ベアリング、ベアリングマウント、収納機構シンクロホイール、収納機構シンクロベルト、モータ、モータ取付ブラケットとモータ取付ブラケット調整板を回シャフトに固定し、回シャフトを回転ベアリングに合わせてベアリングマウントに固定し、ベアリングマウントは機械に固定し、収納機構のシンクロホイールと収納機構のシンクロベルトと合わせ、別々に回シャフトとモータに固定し、モータをモータマウントに固定し、モータマウントを機械に固定し、モータマウント調整板は機械に固定し、収納機構のシンクロベルトの張力を調整するために使用される。
【０００７】
更に、景品通路は機械に固定される。
【０００８】
更に、景品通路には景品検知スイッチが配置され、景品検知スイッチの下には電磁石スイッチが配置されている。
【０００９】
更に、景品通路の下に回転機構が配置されている。
【００１０】
更に、収納機構は回転盤、回シャフト、回転ベアリング、ベアリングマウント、収納機構シンクロホイール、収納機構シンクロベルト、モータ、モータ取付ブラケットとモータ取付ブラケット調整板を回シャフトに固定し、回シャフトを回転ベアリングに合わせてベアリングマウントに固定し、ベアリングマウントは機械に固定し、収納機構のシンクロホイールと収納機構のシンクロベルトと合わせ、別々に回シャフトとモータに固定し、モータをモータマウントに固定し、モータマウントを機械に固定し、モータマウント調整板は機械に固定し、収納機構のシンクロベルトの張力を調整するために使用される。
【００１１】
更に、光学センサプレートがあり、光学アイプレートの隣に光学センサーが配置され、光学センサーは機械に固定されている。
【００１２】
回転機能シンクロホイールには光学センサプレートが設けられており、光学センサーは光学センサプレートの端部に配置され、光学センサーは機械に固定されている。
【００１３】
更に、ドラムシャフトの下方に景品回収通路があり、景品回収通路は機械に固定されている。
【００１４】
更に、機械には景品回収循環装置が設けられており、この景品回収循環装置は、固定された下部ベース、循環モータ、循環モータマウント、ベルト駆動輪、ベルト駆動輪シャフト、コンベアベルト、コンベアマウント、ベルトドリブンホイール、ベルトドリブンシャフトおよび固定アッパーベース、機械に固定された固定ロアーベース、循環モータマウントに固定された循環モータブラケット、固定ロアーベースに固定された循環モータブラケット、プーリーアクティブそして、プーリ駆動輪とプーリ従動輪との間に搬送ベルトが連結され、搬送ブラケットが搬送ベルトに固定され、ベルト従動輪がプーリ駆動軸に連結されてプーリに固定されている。上部ベースを固定し、上部ベースを機械に固定する。
【発明の効果】
【００１５】
本発明にはコンパクトな構造と高い安定性という利点があり、消費者はボタンを押す時間をコントロールすることで景品を獲得し、機械は自動的に当たりの数と営業状況を計算し、適時に景品を放出する。
プレーヤーはゲームを体験すると同時に刺激と驚喜を得ることができ、ゲーム機の趣味性を大に向上し、娯楽と景品の販売を緊密に繋ぐことができる。
【図面の簡単な説明】
【００１６】
【図１】本発明の第１実施形態の全体構造の概略図である。
【図２】本発明の第１実施形態の内部構造の概略図である。
【図３】本発明の第１実施形態の内部構造の概略図である。
【図４】本発明の第１実施形態の収納機構の内部構造を示す概略図である。
【図５】本発明の第１実施形態の回転機構の内部構造の概略図である。
【図６】本発明の第１実施形態の景品回収循環装置の内部構造の概略図である。
【図７】本発明の第２実施形態の全体構造の概略図である。
【図８】本発明の第２実施形態の内部構造の概略図である。
【図９】本発明の第２実施形態の内部構造の概略図である。
【図１０】本発明の第２実施形態の収納機構の内部構造を示す概略図である。
【図１１】本発明の第２実施形態の回転機構の内部構造の概略図である。
【図１２】本発明の第２実施形態の回転機構の内部構造の概略図である。
【図１３】本発明の第２実施形態の景品回収循環装置の内部構造の概略図である。
【発明を実施するための形態】
【００１７】
以下、本発明の実施形態について図面及び具体的な実施方法を参照して説明する。
【００１８】
（第１の実施形態）
図１〜図３に示すように、本実施形態の興味深い景品販売ゲーム機は、主に、機械１、ゲームコンソール３、回転機構４、収納機構６、及び景品回収循環装置８を備えている。
【００１９】
機械１の上部には収納機構６、ゲームコンソール３を設置し、ゲームコンソール３上には表示板（表示パネル）３１とコントロールボタン３２があり、収納機構６の下には景品通路５１を設け、景品通路５１は回転機構４の上方で、回転機構４の下部は景品回収循環装置８と接続され、景品回収循環装置８は機械１の後ろに配置され、収納機構６に接続される。
【００２０】
収納機構６は、図４に示すように、モータ６０、回転装置マウント６３、景品ストッププレート６４、回転プレート（回転板）６５、コーン６６、景品ブロック６７を備えている。図４に示すように回転プレート６５には３つの穴を有し、これらの穴に景品が入る。収納機構６は、モータ６０を回転させることによって回転プレート６５を回転させ、回転プレート６５の穴に収納されている景品は景品通路５１に落下する。景品通路５１は機械１に固定されている。収納機構６の上部には、上部透明カバー７、景品口６１、景品蝶番が設けられている。機械１は透明カバー５を備えている。機械１の後ろにはパワーボックス１０を備えている。
【００２１】
収納機構６は、回転プレート６５、回シャフト、回転ベアリング、ベアリングマウント、収納機構シンクロホイール、収納機構シンクロベルト、モータ６０、モータ取付ブラケット、及びモータ取付ブラケット調整板を有し、モータ取付ブラケット調整板を回シャフトに固定し、回シャフトを回転ベアリングに合わせてベアリングマウントに固定し、ベアリングマウントは機械に固定し、収納機構のシンクロホイールと収納機構のシンクロベルトと合わせ、別々に回シャフトとモータに固定し、モータをモータマウントに固定し、モータマウントを機械に固定し、モータマウント調整板は機械に固定し、収納機構のシンクロベルトの張力を調整するために使用される。
【００２２】
更に、図２に示すように、光学センサプレートがあり、光学センサプレートの隣に、景品検知スイッチとなる光学センサー２６が配置され、光学センサー２６は機械１に固定されている。
【００２３】
更に、ドラムシャフトの下方に景品回収通路があり、景品回収通路は機械１に固定されている。
【００２４】
更に、機械１には景品回収循環装置８が設けられており、この景品回収循環装置８は、固定された下部ベース１０１、循環モータ１０２、循環モータマウント１０３、ベルト駆動輪１０６，１０７、ベルト駆動輪シャフト、コンベアベルト１０８、コンベアマウント１０９、ベルト駆動ホイール１１０、ベルト駆動シャフトおよび固定上部ベース１１１、ベルト張力調整プレート１１２を有する。機械１に固定された固定下部ベース１０１、循環モータマウント１０３に固定された循環モータブラケット、固定下部ベース１０１に固定された循環モータブラケット、プーリーアクティブそして、プーリ駆動輪とプーリ従動輪との間に搬送ベルトが連結され、搬送ブラケットが搬送ベルトに固定され、ベルト従動輪がプーリ駆動軸に連結されてプーリに固定されている。上部ベース１１１を固定し、上部ベース１１１を機械１に固定する。
【００２５】
以上説明した景品販売ゲーム機にはコンパクトな構造と高い安定性という利点があり、消費者はボタンを押す時間をコントロールすることで景品を獲得し、機械は自動的に当たりの数と営業状況を計算し、適時に景品を放出する。プレーヤーはゲームを体験すると同時に刺激と驚喜を得ることができ、ゲーム機の趣味性を大に向上し、娯楽と景品の販売を緊密に繋ぐことができる。
【００２６】
景品販売ゲーム機は、具体的には、収納機構６は景品を保管し、ゲームの開始時に、景品の一つを景品通路５１に落とす。プレーヤーはコンソール３のコントロールボタン３２を押し、回転機構４に景品を落とす。回転機構４は頂部にそれぞれ穴を持つ３つの凸部と１つの凹状の穴を備えており、もし景品が凸部の穴に落ちるならば、景品は景品通路２７を通して落ち、プレーヤーは景品を景品口２１から景品を受け取ることができる。景品が凸状の穴に落ちなければ、景品は凹状の穴に落ち、景品回収循環装置８を通して、景品を再保存するために収納機構６に回収される。
【００２７】
図４に示すように、収納機構６はモータ６０を回転させることによって回転プレート６５を回転させ、回転プレート６５の穴に収納されている景品は景品通路５１に落下する。電磁石スイッチ（SOL）５２は景品通路５１で景品を止め、そしてプレーヤーはコンソール３のコントロールボタン３２を押すことによって回転機構４に景品を落下させる。
【００２８】
ゲーム開始後、回転モータ４０が作動し、回転機構４の小シングルホイール４３、回転機構４のシングルベルト４４、回転機構４の大シングルホイール４６が駆動され、それによって回転機構４は連続的に作動する。プレーヤーは景品通路５１と回転機構４の穴が一直線になった時、コンソール３のコントロールボタン３２を押せば、景品を獲得できる。
【００２９】
図６に示すように、プレーヤーが景品を獲得できなかった場合、循環モータ１０２が連結シャフト１０４およびベルト駆動ホイール１０６を回転させるように駆動し、景品はコンベアマウント１０９上に落下し、景品はコンベアベルト１０８を通して回収され、収納機構６の中に保存される。
【００３０】
（第２の実施形態）
図７〜図１３に示すように、第１の実施形態と同様に、本実施形態の興味深い景品販売ゲーム機は、主に、機械１、ゲームコンソール３、回転機構４、収納機構６、景品回収循環装置８を備えている。
【００３１】
本実施形態の景品販売ゲーム機は、直方体となっており、コンソール３上に透明扉５１、５２を備えており、透明扉５１、５２を引くことで景品を内部に投入したり、景品の滞留を解消したりすることが可能となる。本実施形態では上部透明カバー７は設けられておらず、景品回収循環装置８によって回収された景品は収納機構６に挿入される。本実施形態の景品販売ゲーム機の基本構成及び動作は第１の実施形態と同様であり、図７〜図１３において、図１〜図６と同一構成部材については同一符号を付して説明を省略する。
【００３２】
当分野の技術者であれば、上記の技術案および概念に従って他の様々な変更および修正を加えることができ、更にそのようなすべての変更および修正は本発明の特許請求の範囲内である。
【符号の説明】
【００３３】
１  機械
２  コインゲート
３  コンソール
２１  景品口
３１  表示板
３２  コントロールボタン
５  透明カバー
６  収納機構
６１  景品口
６２  景品蝶番
７  上部透明カバー
２５  コインボックス
２６  光学センサー
２７  景品通路
２８  景品フラッパー
２２  コイン
２３  コインドアロック
２４  セットプレート
４  回転機構
５１  景品通路
１０  パワーボックス
８  景品ト回収循環装置
５２  電磁石スイッチ
６０  モータ
６  収納機構
６０  モータ
６３  回転装置マウント
６４  景品ストッププレート
６５  回転プレート（回転板）
６６  コーン
６７  景品ブロック
４０  減速モータ
４１  モータ取付金具
４２  モータ取付金具調整板
４３  回転機構シングルホイール
４４  回転機構シングルベルト
４５  光ディスク
４６  回転機構大型シングルホイール
４７  軸ベアリング
４８  ベアリングマウント
１０１  固定下部ベース
１０２  循環モータ
１０３  循環モータマウント
１０４  コネクティングシャフト
１０５  コネクティングベアリング
１０６  ベルト駆動ホイール
１０７  ベルト駆動ホイール
１０８  コンベアベルト
１０９  搬送マウント
１１０  ベルト駆動ホイール
１１１  固定上部ベース
１１２  ベルト張力調整プレート
【図１】
2019198655.tif 000003
【図２】
2019198655.tif 000004
【図３】
2019198655.tif 000005
【図４】
2019198655.tif 000006
【図５】
2019198655.tif 000007
【図６】
2019198655.tif 000008
【図７】
2019198655.tif 000009
【図８】
2019198655.tif 000010
【図９】
2019198655.tif 000011
【図１０】
2019198655.tif 000012
【図１１】
2019198655.tif 000013
【図１２】
2019198655.tif 000014
【図１３】
2019198655.tif 000015